【手続補正書】
【提出日】平成15年6月12日(2003.6.12)
【手続補正１】
【補正対象書類名】明細書
【補正対象項目名】０００４
【補正方法】変更
【補正の内容】
【０００４】
【課題を解決しようとする手段と形態および動作】
この発明は、一般に多く市販され使用後は捨てられたりリサイクルされるペットボトルと呼ばれる飲み物用のプラスチック製容器を有効利用し、植物の給水に役立てようとするものである。
本発明の装置の課題を解決しようとする手段と形態および動作を図面で説明すると下記のようになる。以下の説明では、ペットボトルと呼ばれる飲み物用のプラスチック製容器を、簡単に一般的な呼び方であるペットボトルとして説明している。
（Ａ）図１は本発明の装置を示した断面図である。
ペットボトル１の容器本体の首部から容器本体の中央部の間には小穴２があけられている。図１では穴位置は容器のほぼ首の部分である。小穴２の穴径は１ミリから４ミリ程の値である。しかし小さ過ぎると埃や土で塞がる可能性があり、穴径が大きすぎると表面張力が低下し、内部液体の流出を阻止する力が弱まる。穴径は３ミリ程度が問題の無い値である。
ペットボトルは薄いプラスチック製の容器のため、小穴２は火で熱した釘等で刺す等して容易にあけることができる。ガラス製のビール瓶などは本発明には利用できない。
ペットボトルにもともと付いていたキャップをはずして、その代りに付けた特殊栓１０には、繊維質の紐１１が通してあり、チューブ１２がかぶせられている。植物に対する給水は土９の中に差し込まれた紐１１を通して徐々に行なわれる。
ペットボトルの容器の首に近い部分を前部支え３が支えている。前部支え３には低く位置した窓状の支持部５がある。前部支え３よりもペットボトルの容器の底に近い部分を後部支え４が支えている。後部支え４には高く位置した窓状の支持部６がある。これらは、図１では針金を加工して製作されており、土９の中に下部を埋め込まれて固定されている。
ペットボトル１には水を満たしてある。栄養水でもよい。図１はセットしてから間もない図で、初期の水面の位置は水面位置７にある。
ペットボトル内の水は特殊栓１０に通された紐１１の中を重力と毛細管現象による微量の流れとなってにじみ出て土９に供給される。ペットボトル１に水を満たし、図１の状態にセットしようとする時、小穴３を通して少量の水が流出する。しかしペットボトル内はこのため負圧になり、水の流出はすぐに止まる。
ペットボトル１内の水は土９への給水により減少し、内部の負圧は増加し、給水量を減少しようと働く。すると小穴２より外気が僅かに流れ込み、泡となって容器内の底部空間８に供給され内部負圧は小さくなり、土９への給水は減少することなく続けられる。、
ペットボトルの特殊栓１０の紐１１からしみ出る単位時間当たりの水量は、水圧の影響を大きく受ける。水圧が高ければ単位時間当たりの給水量は多く、水圧が低ければ単位時間当たりの給水量は少ない。
小穴２はこの水圧を長時間にわたって一定にする為のものである。
小穴２の内側の水は、小穴２により外気に接触しているため大気圧に等しい。このため、ペットボトルの特殊栓１０の水の供給出口と小穴２迄の高さ寸法Ｙが水圧の値を決定し、紐１１からしみ出る単位時間当たりの水量を支配する。この状態はペットボトル内の水の水位が給水により、小穴２の位置になるまで継続する。この間は一定した水圧と、毛細管現象により、単位時間当たりの給水量は一定となる。
（Ｂ）図２は本発明の装置に使用する特殊栓を示した断面図である。図１の特殊栓１０と同じ構造である。
栓の本体部分１３には穴があけられ繊維質の紐１４が通っている。穴に紐１４を通すには、紐の材質をナイロンなどの化学繊維とし、この先端を加熱して溶かして細くし穴に入れてから引けばよい。こうすることによって穴径よりも太い紐を通し、栓の中の紐の密度を増し、高い流体抵抗値を持った素子となる。穴の径と紐の径を変えることにより、さまざまの給水特性を持つ栓を作ることができる。紐の代りに、水を通す機能のある物質で栓の穴を満たしても同様の効果を得る。
栓の太い方に出た紐には、チューブ１５がかぶせられている。チューブ１５は紐から水分が蒸発するのを防ぐ。
図３は本発明の装置に使用する特殊栓を示した断面図である。
栓の本体部分１６には穴があけられ金属パイプ１７が通っている。金属パイプ１７には繊維質の紐１８が通っている。栓の太い方に出た紐には、チューブ１９がかぶせられている。
図４は本発明の装置に使用する特殊蓋を示した断面図である。
前述の説明ではペットボトルの口に特殊栓を付けた構造となっているが、特殊栓の代りに図４のような構造の特殊蓋を使用しても同様の効果を得る。
２０は蓋の本体部分で、この１部である突出部分２１には穴があけられ繊維質の物質からできた紐２２が通っている。２４はガスケットで、ペットボトルにこの蓋を付けた時の漏れ止めとなる。２３はねじ部で、これによってペットボトルに取り付ける。
図５は本発明の装置に使用する特殊栓を示した断面図である。
栓の本体部分２５には穴があけられパイプ２６が通っている。栓の太い方に出たパイプの部分には、チューブ２７がかぶせられている。チューブ２７の中には水を通す多孔質の物体２８が詰められている。
このように容器内の液体を徐々に容器外へ供給する機能がある栓あるいは蓋が付けられる。
（Ｃ）図６は本発明の装置の使用例を示した斜視図である。
２９はペットボトルの容器で、水を満たしてある。ペットボトルの容器本体の首部から容器本体の中央部の間に小穴３０があけられている。特殊栓３２に通された紐３３を通して土３６へと、植物３４への給水を行なっている。ペットボトルの容器の首に近い部分を前部支え３５が支えている。それよりも容器の底に近い部分を、後部支え３１が支えている。前部支え３５と後部支え３１は、図６では太い針金を加工して製作されており、土３６の中に下部を埋め込まれて固定されている。
（Ｄ）水を満たしたペットボトルの首に近い部分を低く位置するように支え、底に近い部分を高く位置するように支えるために、別のペットボトルを利用することもできる。図７は本発明の装置の台の斜視図である。給水に使うペットボトルと同じサイズの別のペットボトルを加工した台３７には、側面をくりぬいて窓３８が空けられている。肩の部分から先を削除した窓４６があり、その角には切り込み３９が４本入れられている。
図８は本発明の装置の斜視図で、前記の台３７を使用している。台３７を立てて置き、その窓４６に、水を満たしたペットボトル４０が差し込まれている。切り込み３９のため、具合良く差し込むことができる。このようにして水を満たしたペットボトルの首に近い部分を低く位置するように支え、底に近い部分を高く位置するように支えることができる。
ペットボトル４０に空けられた小穴４３は台３７で塞がれない位置にある。特殊栓４４には穴が２個空けられており、特殊栓４４の２個の穴に通された紐４１と紐４５が窓３８から出ている。ペットボトル４０の首に巻き付けて固定された針金４２が、水を通す紐４１と紐４５を支えて、紐の先を植物の根元に導いている。


【手続補正２】
【補正対象書類名】明細書
【補正対象項目名】図面の簡単な説明
【補正方法】追加
【補正の内容】
【０００６】
【図面の簡単な説明】
【図１】は本発明の装置の断面図である。
【図２】は本発明の装置に使用する特殊栓の断面図である。
【図３】は本発明の装置に使用する特殊栓の断面図である。
【図４】は本発明の装置に使用する特殊蓋の断面図である。
【図５】は本発明の装置に使用する特殊栓の断面図である。
【図６】は本発明の装置の使用例の斜視図である。
【図７】は本発明の装置の台の斜視図である。
【図８】は本発明の装置の斜視図である。


【手続補正３】
【補正対象書類名】明細書
【補正対象項目名】符号の説明
【補正方法】追加
【補正の内容】
【符号の説明】
（１）はペットボトル
（２）は小穴
（３）は前部支え
（４）は後部支え
（５）は窓状の支持部
（６）は窓状の支持部
（７）は水面位置
（８）は底部空間
（９）は土
（１０）は特殊栓
（１１）は紐
（１２）はチューブ
（１３）は栓の本体部分
（１４）は紐
（１５）はチューブ
（１６）は栓の本体部分
（１７）は金属パイプ
（１８）は紐
（１９）はチューブ
（２０）は蓋の本体部分
（２１）は突出部分
（２２）は紐
（２３）はねじ部
（２４）はガスケット
（２５）は栓の本体部分
（２６）はパイプ
（２７）はチューブ
（２８）は水を通す多孔質の物体
（２９）はペットボトル
（３０）は小穴
（３１）は後部支え
（３２）は特殊栓
（３３）は紐
（３４）は植物
（３５）は前部支え
（３６）は土
（Ｙ）は高さ寸法
（３７）は台
（３８）は窓
（３９）は切り込み
（４０）はペットボトル
（４１）は紐
（４２）は針金
（４３）は小穴
（４４）は特殊栓
（４５）は紐
（４６）は窓


【手続補正４】
【補正対象書類名】図面
【補正対象項目名】図７
【補正方法】追加
【補正の内容】
【図７】
2000287564.tif 000001
【手続補正５】
【補正対象書類名】図面
【補正対象項目名】図８
【補正方法】追加
【補正の内容】
【図８】
2000287564.tif 000002